(57)【特許請求の範囲】
【請求項１】
開口部を前面に有する埋込ボックスを、前記開口部が表面に露出するよう鉄筋に固定して鉄筋コンクリートに埋設させる埋込ボックス装置であって、
前記埋込ボックスには、並行に配設された２本の鉄筋の間に掛け渡して前記埋込ボックスを固定するための支持部材が背部に取り付けられ、
前記支持部材は、一方の鉄筋との連結部及び埋込ボックスへの固着部を有する第１支持部材と、この第１支持部材に対して長さを適宜変更して連結され、他方の鉄筋との連結部を有する第２支持部材とで構成されると共に、
前記支持部材の鉄筋との連結部は、双方ともボルトの締着により固定され、双方の前記連結部を鉄筋に連結すると、前記埋込ボックスの前面が鉄筋コンクリートの型枠に当接する部位に配置されるよう前記連結部の前記埋込ボックスに対する前後位置が設定されて成ることを特徴とする埋込ボックス装置。
【発明の詳細な説明】
【技術分野】
【０００１】
本発明は、鉄筋コンクリートから成る壁面や柱に埋設される埋込ボックスに関し、特にコンクリートを流し込む型枠内に設置固定するための部材を備えた埋込ボックス装置に関する。
【背景技術】
【０００２】
電源コンセントや通信コネクタ等を壁面に設ける場合、電源ケーブルや通信ケーブルが壁面内に配設される。このようなコンセントやコネクタを壁面に設ける場合、壁面には前面に開口部を備えた埋込ボックスが設置され、壁面内には配線を通すための金属管等が配設される。
鉄筋コンクリートの壁面や柱にこのような埋込ボックスを設置する場合、埋込ボックスの位置を固定すると共に、流し込むコンクリートが開口部から埋込ボックス内に入り込むのを防ぐよう開口面を型枠に密着させて設置しなければならない。この要求に応えるべく、本発明者は特許文献１に示す埋込ボックス装置を提案した。
これは、上下の鉄筋間に支持金具を掛け渡し、この支持金具に対してボックスを伸張可能な調整部を介して連結したものであった。
【先行技術文献】
【特許文献】
【０００３】
【特許文献１】特開２０１１−１８２５８４号公報
【発明の概要】
【発明が解決しようとする課題】
【０００４】
上記特許文献１の構成の場合、施工する鉄筋から型枠までの距離に合わせて埋込ボックスを前後に移動させる調整部を設けることで、鉄筋と型枠までの距離が異なっても確実に埋込ボックスの前面を型枠に密着させることができた。しかしながら、鉄筋と型枠の距離が近い場合は、調整部の長さが逆に邪魔になり調整部の長さを最短にしても設置できない場合が発生し、鉄筋に装着できない場合があった。また、上部の鉄筋に対してはボルトにより固定したが、下方の鉄筋には前後から挟むだけで鉄筋の軸方向には移動し易く、コンクリートを流し込む際にその圧力で埋込ボックスが左右方向に傾く場合があった。
一方で、鉄筋コンクリートの仕様は建物の設計段階で決定され、鉄筋と壁面との距離もその段階で指定される。そのため、鉄筋と型枠の距離は設計段階で把握でき、それに合わせて埋込ボックス装置を作製しておくことが可能である。
【０００５】
そこで、本発明はこのような問題点に鑑み、鉄筋と型枠の距離が近い場合でも、無理なくボックスを型枠に密着するよう配置でき、更に埋込ボックスの連結部材が移動して埋込ボックスが傾くことのない埋込ボックス装置を提供することを目的としている。
【課題を解決するための手段】
【０００６】
上記課題を解決する為に、請求項１の発明は、開口部を前面に有する埋込ボックスを、前記開口部が表面に露出するよう鉄筋に固定して鉄筋コンクリートに埋設させる埋込ボックス装置であって、前記埋込ボックスには、並行に配設された２本の鉄筋の間に掛け渡して前記埋込ボックスを固定するための支持部材が背部に取り付けられ、前記支持部材は、一方の鉄筋との連結部及び埋込ボックスへの固着部を有する第１支持部材と、この第１支持部材に対して長さを適宜変更して連結され、他方の鉄筋との連結部を有する第２支持部材とで構成されると共に、前記支持部材の鉄筋との連結部は、双方ともボルトの締着により固定され、双方の前記連結部を鉄筋に連結すると、前記埋込ボックスの前面が鉄筋コンクリートの型枠に当接する部位に配置されるよう前記連結部の前記埋込ボックスに対する前後位置が設定されて成ることを特徴徴とする。
この構成によれば、支持部材を鉄筋に連結するだけで埋込ボックスを型枠に密着するように固定できる。また、支持部材は鉄筋と型枠までの距離が埋込ボックスの厚みと異なっても、支持部材に段部等を設けて埋込ボックスを前後に移動することで対応でき、良好に固定できる。そして、この距離は建物を設計する段階で決定されるので、支持部材は予め作製しておくことができ、良好に施工できる。
【０００７】
また、上下双方の鉄筋の連結部がボルトでの螺着によるため、堅牢に固定でき、コンクリートの流し込みの圧力等で連結部が移動して埋込ボックスが傾くようなことがない。
【発明の効果】
【０００８】
本発明によれば、支持部材を鉄筋に連結するだけで埋込ボックスを型枠に密着するように固定できる。また、支持部材は鉄筋と型枠までの距離が埋込ボックスの厚みと異なっても、支持部材に段部等を設けて埋込ボックスを前後に移動することで対応でき、良好に固定できる。そして、この距離は建物を設計する段階で決定されるので、支持部材は予め作製しておくことができ、良好に施工できる。
【図面の簡単な説明】
【０００９】
【図１】本発明に係る埋込ボックス装置の一例を示し、側方から見た説明図である。
【図２】図１の正面図である。
【図３】図１の鉄筋に装着する途中の状態を示す側方から見た説明図である。
【図４】埋込ボックス装置の他の形態を示す側方から見た説明図である。
【図５】埋込ボックス装置の他の形態を示す側方から見た説明図である。
【発明を実施するための形態】
【００１０】
以下、本発明を具体化した実施の形態を、図面を参照して詳細に説明する。図１，図２は本発明に係る埋込ボックス装置の一例を示し、図１は鉄筋に取り付けて側方から見た説明図、図２は正面図を示している。図１，２において、１は埋込ボックス、２は支持金具、３は鉄筋、４は型枠を示している。
【００１１】
埋込ボックス１は、前面に開口部１ａを有する金属製の箱体であり、この前面が露出するよう鉄筋コンクリートで形成される柱や壁面に埋設される。
【００１２】
支持部材２は上下に長く形成された金属製の板体であり、第１金具２ａと第２金具２ｂの２部材で構成されている。第１金具２ａは埋込ボックス１の背面から上方に延びるよう形成され、埋込ボックス１の背面に溶接されている。上端となる先端には、上側の鉄筋３に連結する第１連結部１０が形成され、下端となる基部は埋込ボックス１の下方に突出するよう配置され、第２金具２ｂと連結する連結片１１を形成している。
【００１３】
第１連結部１０は、第１金具２ａの先端部を円弧状に後方に折り返して形成され、鉄筋３を把持する筒状部を形成している。また、折り返した先には第１金具２ａの本体にボルト１２により締着するためのナット１３が溶接され、対向する前面にはボルト１２を挿入する挿入口１４が穿設されている。ボルト１２は前方から挿入口１４を介してナット１３に螺入される。
また連結片１１は、連結するためのボルト１５を挿通する孔１６が穿設され、背面にボルトを螺入するためのナット１７が溶接されている。
【００１４】
第２金具２ｂは、下端となる先端に鉄筋３に連結する第２連結部２０が形成され、上端となる基部には連結片１１に連結する連結部２１が形成されている。
第２連結部２０は、図２に示すように第２金具２ｂの長さ方向に２つの縦溝２０ｃを設けて３分割し、３本の支持片２２ａ，２２ｂ，２２ｃを形成して交互に前後に折り曲げることで鉄筋３を挿入する収容部２０ａを形成している。具体的に、左右の支持片２２ａ，２２ｃの基部を後方に膨らみを有するよう円弧状に折り曲げる一方、中央の支持片２２ｂの基部を前方に膨らみを有するよう円弧状に折り曲げて収容部を形成し、先端部はそれぞれ外方に折り曲げて鉄筋３を案内する導入部２０ｂを形成している。
連結部２１は、ボルト１５を挿通するための縦に長い長孔２１ａが形成され、第１金具２ａに対して（埋込ボックス１に対して）第２金具２ｂを伸縮させて任意の長さで連結できるよう構成されている。
【００１５】
尚、図１の形態は、鉄筋３から型枠４までの距離Ｌ１が埋込ボックス１の厚み（奥行き）とほぼ同一寸法の場合を示している。この場合、支持部材２全体は平坦な板状に形成するだけで済む。そして、この構成で鉄筋３に組み付けた埋込ボックス装置は、埋込ボックス１の開口部１ａが型枠４に密着する。また、支持部材２に形成された縦筋のリブ１８は補強のために設けられたもので、適宜部位に形成されている。
また、埋込ボックス１は合成樹脂製でも良く、その場合第１金具２ａは埋込ボックス１にボルトやネジにより固定される。また、ナット１７は、鉄筋３の約２分の１の厚みで形成され、鉄筋３に取り付けた際に、支持部材２と並行する埋込ボックス１の前面が垂直になるよう構成されている。
【００１６】
上述した埋込ボックス装置は以下の様に鉄筋３に取り付けられる。まず、第１金具２ａと第２金具２ｂを連結した状態で、格子状に組み付けられた鉄筋３，３・・のうち水平に配設された鉄筋３に対して、第１連結部１０の挿入口１０ａを鉄筋３に対して上方から押し当てて鉄筋３を挿入する。このとき挿入口１０ａは、鉄筋３を挿入し易いように広げておくと良い。
こうして、第１連結部１０に鉄筋３を挿入したらボルト１２を前方から挿入して締め付ける。図３はこのボルト１２を螺入中の状態を示している。尚、図３は型枠４が取り付けられた状態を示しているが、型枠４は埋込ボックス装置の取付後に設置するのが作業上好ましい。
【００１７】
次に、第１金具２ａと第２金具２ｂの連結部２１を緩めて第２連結部２０の開口した下部を連結対象の鉄筋３に上方から押し当てる。この押圧力で第２連結部２０の導入部２０ｂに案内されて、鉄筋３は収容部２０ａに押し込まれて把持される。
こうして第１連結部１０及び第２連結部２０をそれぞれ鉄筋３，３に連結したら、連結部２１のボルト１５を締め付けて第１金具２ａと第２金具２ｂを一体化して取付作業は完了する。この状態が図１に示す状態であり、この取付操作で、施工する壁等の鉄筋３と型枠４の距離Ｌ１に合わせて埋込ボックス１の突出量が設定された埋込ボックス装置は、その後設置した型枠４に対して良好に密着する。
【００１８】
このように、上下の鉄筋３，３と埋込ボックス１を当接させる型枠４までの距離Ｌ１が埋込ボックス１の厚み程度であれば、支持部材２を直線状の板材とするだけで、埋込ボックス１を型枠４に密着するように固定できる。そして、鉄筋３から型枠４までの距離Ｌ１は建物を設計する段階で決定されるので、支持部材２の形状は予め作製しておくことができ、良好に施工できる。
【００１９】
図４は埋込ボックス装置の他の形態を示している。図１の形態とは第２金具２ｂに設けた第２連結部２０の構成が異なり、第１連結部１０と同様にボルト締めする構成となっている。但し、第１連結部１０とは前後が反対に構成されている。具体的に、鉄筋３を把持するよう筒状に形成され、第２金具２ｂの先端部を円弧状に前方に折り返して形成されている。また、折り返した先には、第２金具２ｂの本体にボルト２５により締着するためのナット２６が溶接され、対向する背面にはボルト２５を挿入する挿入口（図示せず）が穿設されている。ボルト２５は後方から挿入口を介してナット２６に螺入されて締着される。
【００２０】
この構成の場合、鉄筋３への取り付けは第２連結部２０を最初に連結する。具体的に、第１金具２ａと第２金具２ｂを分離し、第２連結部２０の上方を向く挿入口２０ｃを鉄筋３に下方から押し当てて挿入する。鉄筋３を挿入したら、後方からボルト２５を挿入して締め付け固定する。
【００２１】
次に、第１金具２ａを鉄筋３に連結する。第１金具２ａは、第２金具２ｂの上方の鉄筋３に対して、上述したように第１連結部１０を鉄筋３に対して上方から押し当てて鉄筋３を挿入する。第１連結部１０に鉄筋３が挿入されたら、ボルト１３で締着する前に第１金具２ａと第２金具２ｂとをボルト１５で連結する。その後、ボルト１３を締めして第１連結部１０を固定する。
図４は、このボルト１５を螺入する途中の状態を示している。尚、この構成の場合、第１金具２ａの連結片１１に溶接されたナット１７には埋込ボックス１を傾斜させない為に別途ナット２７を重ねた状態を示している。
【００２２】
このように、第２連結部２０もボルト２５により固定する形態としても良い。ボルト２５を使用することで、コンクリートを流し込む圧力等で第２連結部２０にズレが発生することがなく、安定した状態を保持する。
また、上下共にボルトで固定することで、上下の鉄筋３，３の間ではなく、左右に起立配置された鉄筋３，３に対して支持部材２を掛け渡して埋込ボックス１を固定することも可能となり、設置環境に柔軟な対応が可能となる。
【００２３】
図５は埋込ボックス装置の更に他の形態を示している。図１の構成とは支持部材が一様な板形状ではなく、段部を設けて形成した凸状部に埋込ボックス１を配置した支持部材３０とした点が異なっている。鉄筋３と型枠４の距離Ｌ２が、図１の距離Ｌ１に比べて大きい場合にこのような支持部材２が使用される。
具体的に、支持部材３０を構成する第１金具３０ａ、第２金具３０ｂ共に、埋込ボックス１の前面が型枠４に接触するように距離Ｌ２に合わせて高さＨ１の段部３１を有して形成され、支持部材３０に凸状部３１ａを形成し埋込ボックス１を前方へ押し出して配置している。
【００２４】
このように、鉄筋３と型枠４までの距離が埋込ボックス１の厚みより大きい場合は、支持部材３０に段部３１を設けて埋込ボックス１を前方に突出させることで型枠４に密着させることができ良好に固定できる。そして、この距離は建物を設計する段階で決定されるので、支持部材３０は段部３１を備えた形状であっても予め作製しておくことができ、良好に施工できる。
【００２５】
尚、鉄筋３と型枠４の間の距離が、埋込ボックス１の厚みより短い場合は、支持部材３０に形成する段部３１を逆向きに折り曲げればよい。また、段部３１を形成する部位は、支持部材３０の途中で無くとも良く、例えば第１連結部１０及び第２連結部２０を後方或いは前方に折り曲げて形成しても良い。
【符号の説明】
【００２６】
１・・埋込ボックス、２・・支持部材、２ａ・・第１金具（第１支持部材）、２ｂ・・第２金具（第２支持部材）、３・・鉄筋、４・・型枠、１０・・第１連結部（連結部）、２０・・第２連結部（連結部）、３０・・支持部材、３１・・段部。
【図１】
0005899020.tif 000002
【図２】
0005899020.tif 000003
【図３】
0005899020.tif 000004
【図４】
0005899020.tif 000005
【図５】
0005899020.tif 000006